(57)【要約】　　　（修正有）【課題】Ｘ線撮影を行うとき患者に息を止めさせて、その息が止まった状態の時にＸ線撮影を行うが、撮影を行う技師は患者が確実に息を止めたか否かが良くわからず、患者が息を止めた時期とＸ線発射の時期とが一致しないことが起るが、これを自動的に同期させる方法を提供する。【解決手段】患者の息をＵ字管式圧力検出器に導き、その検出器に生じる圧力の変化を電気信号にかえ、これを利用してＸ線を発射するのを特徴とする。【選択図】　図１
2004057793.tif 000002
【特許請求の範囲】
【請求項１】
人体のＸ線撮影において、Ｕ字管式圧力検出器を利用して患者の呼吸停止時期とＸ線発射時期を同期させる方法。
【発明の詳細な説明】
【０００１】
【発明の属する技術分野】人体のＸ線撮影において患者の呼吸停止時期とＸ線発射時期を同期させる方法に関するものである。
【０００２】
【従来の技術】従来Ｘ線撮影を行うとき患者に息を止めさせて、その息が止った状態の時にＸ線発射のスイッチを入れて撮影を行っていたがＸ線撮影を行う技師はこのとき患者が確実に息を止めたか否かがよくわからなかった。そのためＸ線撮影はすべて撮影を行う技師の経験と感に頼っていた。
実際には撮影の時、患者に声をかけても息のよく止まらない人もいるし、全く止まらない人もいるのでＸ線撮影を行っても必ずしも満足できる状態の時ばかりとは限らなかった。そのため出来上ったＸ線写真にブレを生じたり或は呼吸の途中の状態で撮影したりして医学的検査の目的を十分果すことができない場合もあり、そのため再撮影を行う場合もあった。特に胸部や腹部の検査では息を十分吸いこんだ状態で撮影したり、逆に息を十分はいた状態で撮影する場合が、実際には数多くあり、この息の状態を自動的に検出して撮影に利用する方法が望まれていた。
【０００３】
【発明が解決しようとする課題】患者の呼吸の状態を知り息を吸いこんで止めた時、或は息をはいて止めた時を自動的に検出してこれをＸ線撮影に利用し、より確実性の高い医学的情報を得たいと考えたものである。
【０００４】
【課題を解決するための手段】
本発明はこの課題を解決するためにＵ字管式圧力検出器を利用してこの検出器に患者の息を吹き込んだり、吸ったりしてその時のＵ字管内の圧力の変化を電気信号に変換しこれを利用してＸ線装置のＸ線発射用回路を作動させてＸ線を出すものである。
【０００５】
【発明の実施の形態】
【図１】は本発明を実施するための基本的な見取図で
ある。
【図１】において、Ｕ字管Ｄの内部に電極Ａ，Ｂ，Ｃ，をつけその中に無害の電導性液体Ｒ（水、食塩水等々）を入れ、丁度Ａ，Ｂ，Ｃ間が、導通する程度の液量にしておく。
マウスピースＩから息を吹き込むとホースＨを通してＵ字管圧力検出器Ｊに空気が入りオリフィスＫの入口側、即ち呼吸入口Ｇ側の圧力が空気出入口兼液体注入口Ｆ側の圧力より高くなり、Ｕ字管内の液面はＢ側が下がり、Ａ側に移動する。このため電極Ｂから液面は離れ、ＢとＣの間は電流が流れない。
一方Ａ側は液面が上昇して電極Ａと電極Ｃの間はそのまま導通状態となっている。
そこで息を止めるとオリフィスＫの穴ＬからＵ字管内の空気がＧ側からＦ側にぬけて、内部の圧力が元にもどり、Ｇ側とＦ側の圧力は等しくなる。するとＵ字管内の液面は元に戻りＢＣ間が通電する。このことはＢＣ間がＯＦＦからＯＮになることを示している。
一方Ｉから息を吸い込むと、Ｆ側よりＧ側の方が圧力が低くなりＵ字管内の液面はＢ側が高く、Ａ側は下ってくるのでＡＣ間は導通が切れる。
そして息を止めるとＫの穴Ｌを通って空気がＦ側からＧ側に移動し、Ａ側とＢ側の圧力が等しくなり液面は元に戻る。そのためＡＣ間が導通するようになる。このことは電極ＡＣ間がＯＦＦからＯＮになることを示している。
この電極Ａ，Ｂ，Ｃ，で発生する電気的信号を呼吸気同期選択スイッチＳ２に導き、息の状態と、Ｘ線の発射時期とを選択しこれをＸ線制御装置のＸ線発射スイッチＳ１の方へ接続して実用に供する。
従って呼吸同期選択スイッチＳ２は次の様な動作をする。
（ａ位置）　息を吸い込んで止めたときにａｃ間、即ちｄｆ間がＯＦＦ→ＯＮになる。
（ｂ位置）　息をはいて止めたときにｂｃ間、即ちｄｆ間がＯＦＦ→ＯＮになる。
（ｃ位置）　呼吸に関係なくｄｆ間はＯＮになっている。
このことから
（イ）患者が息を吸い込んで止めた時に撮影を行うにはＳ２をａ位置にして、「息を吸い込んで止めて下さい」と声をかけてＳ１を入れておけば呼吸に同期してｄｆ間が通電し、Ｘ線が発射できる。
（ロ）患者が息をはいて止めた時に撮影を行うにはＳ２をｂ位置にして「息をはいて止めて下さい」と声をかけてＳ１を入れておけば同様に目適は達成できる。
（ハ）患者の呼吸に関係なく撮影を行うにはＳ２をｃ位置にしておけばｄｆ間は常に通電しているのでＳ１を入れるとすぐにＸ線は発射できる。
【図２】はこの装置をシステムとして使用したときの図であり
【図２−１】は立位撮影台の例であり
【図２−２】は平位撮影台の例である。
また
【図２−３】はＸ線発射用リモートスイッチユニットＰ、Ｘ線制御装置Ｎ、Ｘ線発生装置Ｑなどの関連を示すものである。ＰはＳ１とＳ２を使いやすいように二つ並べておくのが便利と思える。或はＳ２はＮの取り扱いやすい位置につけてもよい。
尚、マウスピースは患者一人づつ清潔なものと取りかえる必要があるので、ホースから簡単に交換できる構造が要求されている。
【０００６】
【発明の効果】本装置を使用することにより患者が息を止めた時点で自動的にＸ線を発射することができるのでより正確なＸ線撮影ができると考えられる。従ってこのことにより医学的により有効なＸ線画像が得られる。
また本物のＸ線装置へは取り付けたことはないが本装置を実験的に製作し電極Ａ，Ｂ，Ｃ，の間の通電状態をテスターで計測したが目的を達していたので、実用化はできると考えられる。
尚、実験には
【図３】のようなものを作り、図のＤ，Ｈ，Ｊ，にはビニールホースを用い、ＴにはＴ型ジョイントを用いた。またＫにはうすい紙を筒状に巻いたものを用い、電極Ａ，Ｂ，Ｃ，はマッチ針を用いてホースの外側から刺し込んだ。また液体Ｒには水を用いた。そしてＩの部分を口にくわえて息を吸ったり、はいたりして実験を行った。
【図面の簡単な説明】
【図１】呼吸気同期装置の見取り図兼配線図である。
【図２】本装置を実際に使用した場合のシステムを示す全体図である。
【図２−１】立位撮影台で使用した例である。
【図２−２】平位撮影台で使用した例である。
【図２−３】Ｘ線発生用リモートスイッチユニット、Ｘ線制御装置、Ｘ線発生装置などとの関連性を示す図である。
【符号の説明】
Ａ，Ｂ，Ｃ　は電極である。
Ｄ　はＵ字管である。
Ｅ　は圧力検出器全体を納める本体である。
Ｆ　は空気出入口兼液体注入口である。
Ｇ　は呼吸気入口である。
Ｈ　は患者の呼吸気を本体へ導くためのホースである。
Ｉ　は患者の口へくわえるためのマウスピースである。
Ｊ　はＵ字管式圧力検出器である。
Ｋ　はオリフィスである。
Ｌ　はオリフィスの穴である。
Ｍ　はオリフィスの壁である。
Ｎ　はＸ線制御装置である。
Ｐ　はＸ線発射用リモートスイッチユニットである。
Ｑ　はＸ線発生装置である。
Ｒ　は水、食塩水、等々の無害の電導性液体である。
Ｓ１はＸ線発射スイッチである。
Ｓ２は呼吸気同期選択用スイッチである。
ａ，ｂ，ｃ，ｄ，ｆ，はＳ２の端子である。
Ｔ　はＴ型ジョイントである。
【図１】
2004057793.tif 000003
【図２】
2004057793.tif 000004
【図３】
2004057793.tif 000005
【手続補正書】
【提出日】平成14年10月11日(2002.10.11)
【手続補正１】
【補正対象書類名】明細書
【補正対象項目名】図３
【補正方法】追加
【補正の内容】
【図３】実験用に製作した呼吸気同期装置の正面から見た断面図である。